(57)【要約】【課題】無線通信システムにおいて、受信機で受信されたミリ波信号の強度が小さい場合であっても受信電力を検知して短時間でアンテナの方位を調整することができる。【解決手段】送信機１００では光変調器１０３の自動バイアス電圧調整機構を利用して、搬送波としてのミリ波の周波数よりも低い電力検出用周波数で強度変調したミリ波信号を送信し、受信機２００では受信したミリ波信号から抽出した電力検出用周波数の信号成分の強度を測定し、測定した強度に基づいてミリ波信号の強度を推測する。これにより、ノイズ等に起因してミリ波信号の強度が小さい場合でも従来の受信したミリ波信号の強度に応じてミリ波検波器から出力されるＤＣ電圧を計測する場合と比べて高いＳ／Ｎが得られるので受信感度が向上する。【選択図】図１
2008211279.tif 000002
【特許請求の範囲】
【請求項１】
ミリ波信号を送信する送信機とその送信機が送信したミリ波信号を受信する受信機とを備えた無線通信システムであって、
前記送信機は、搬送波としてのミリ波の周波数よりも低い電力検出用周波数で強度変調したミリ波信号を送信し、
前記受信機は、受信したミリ波信号から抽出した電力検出用周波数の信号成分の強度を測定し、測定した強度に基づいてミリ波信号の強度を推測することを特徴とする無線通信システム。
【請求項２】
前記送信機は、
送信すべきデータ信号の周波数よりも低い電力検出用周波数で強度変調したミリ波信号を送信することを特徴とする請求項１に記載の無線通信システム。
【請求項３】
前記送信機は、
搬送波としてのミリ波信号の周波数で強度変調された光サブキャリア信号を発生させる光サブキャリア信号発生用光源と、
送信すべきデータ信号を増幅すると共に、ゲイン調整端子を有し、当該端子に低周波の電力検出用周波数信号を入力することにより、データ信号を当該電力検出用周波数信号で変調可能なベースバンドアンプと、
前記ベースバンドアンプにより増幅されたデータ信号で前記光サブキャリア信号を強度変調する光変調器と、
前記光変調器が強度変調した光信号を電気信号に変換するフォトダイオードと、
前記フォトダイオードにより光電変換された電気信号を送信する送信アンテナと、
を備えることを特徴とする請求項１に記載の無線通信システム。
【請求項４】
前記光変調器は、バイアス調整回路を更に備え、
前記電力検出用周波数信号は、前記バイアス調整回路において前記光変調器の変調度を調整するためにも用いられることを特徴とする請求項３に記載の無線通信システム。
【請求項５】
前記送信機は、
搬送波としてのミリ波信号を発生させると共に当該ミリ波信号を送信すべきデータ信号で強度変調するミリ波信号発生回路と、
前記ミリ波信号発生回路から出力されたミリ波信号をゲイン調整用端子に入力された低周波の電力検出用周波数の信号で強度変調するミリ波増幅器と、
前記ミリ波増幅器から出力されたミリ信号を送信する送信アンテナと、
を備えることを特徴とする請求項１に記載の無線通信システム。
【請求項６】
前記受信機は、
前記ミリ波を受信する受信アンテナと、
前記受信アンテナにより受信したミリ波信号を復調するミリ波検波器と、
前記ミリ波検波器が復調したミリ波信号からデータ信号成分及び電力検出用周波数の信号成分を抽出し、それぞれを出力する出力端子を有するバイアスＴと、
を備えることを特徴とする請求項１に記載の無線通信システム。
【請求項７】
前記受信機は、
前記ミリ波を受信する受信アンテナと、
前記受信アンテナにより受信したミリ波信号を復調するミリ波検波器と、
前記ミリ波検波器が復調したミリ波信号を分岐させるカプラと、
前記カプラにより分岐されたミリ波信号から電力検出用周波数の帯域の信号を増幅する狭帯域増幅器と、
前記狭帯域増幅器が出力した電力検出用周波数の帯域の信号成分を通過させるフィルタ回路と、
前記フィルタ回路が通過させた信号成分を検波する検波器と、
前記検波器が出力した信号成分の電圧値を測定する電圧計と、
を備えることを特徴とする請求項１に記載の無線通信システム。
【請求項８】
前記受信機は、
前記ミリ波を受信する受信アンテナと、
前記受信アンテナにより受信したミリ波信号を復調するミリ波検波器とを備え、
前記ミリ波検波器は、
復調したミリ波信号からデータ信号を出力する出力端子と、
受信したミリ波信号の強度に応じたモニタ電圧を出力する出力端子と、
を更に備え、
前記モニタ電圧を出力する端子から電力検出用周波数の信号成分を抽出することを特徴とする請求項１に記載の無線通信システム。
【請求項９】
前記送信機及び受信機は、
ビーム幅が１度以下の指向性の高いアンテナを使用してミリ波信号の送受信を行うことを特徴とする請求項１乃至８のいずれかに記載の無線通信システム。
【発明の詳細な説明】
【技術分野】
【０００１】
本発明は、無線通信システムに関し、特に大容量のミリ波無線通信システムに関する。
【背景技術】
【０００２】
近年、無線通信の大容量化に対応すべく、ミリ波を用いた無線通信システムが開発されている。最近では、１２０ＧＨｚ帯のミリ波を用いて通信速度１０Ｇｂｐｓが実現した無線通信システムも開発されている（例えば、非特許文献１を参照）。
【０００３】
このようなミリ波無線において、光信号としてミリ波の領域の周波数で強度変調している光信号（光ミリ波信号）を発生させ、この光ミリ波信号を光電変換することにより、電磁波を発生させる手法が検討されている。このような光技術を利用した無線通信システムの構成を図８に示す。このシステムでは光ヘテロダイン法などの手法により、ミリ波信号の周波数で強度変調された光信号（光サブキャリア信号）を発生させる。その後、光変調器を用いて光サブキャリア信号を強度変調する。データ信号により強度変調された光サブキャリア信号はフォトダイオードにより光電変換された後、ミリ波増幅器により増幅され、アンテナから空間に放射される。
【０００４】
一方、このようなミリ波無線においては、使用するデバイスの出力に限界があるため、無線機の出力は数十ｍＷ程度に止まっている。また、受信機においても、低ＮＦの増幅器が得られない、あるいは広帯域のデータ伝送を行うため雑音電力が大きくなるなどの結果、受信機に使用されるミリ波検波器の最小受信感度が−５０ｄＢｍ程度しか得られていない。このように、送信機の出力が低く、また受信感度も悪いため、１ｋｍ程度のデータ伝送を行うためには、アンテナのビーム幅が１度以下の指向性の非常に高いアンテナを使用する必要がある。
【０００５】
また、このようなビーム幅が狭いアンテナを使用すると、送信機と受信機との間で精密なアンテナ軸合わせが必要となるため、最大受信感度が得られるアンテナ方位を自動的に検出する自動方向調整機構の導入が期待されている。例えば、図７で示した無線通信システム８００では、検波器の出力のＤＣ成分もしくは検波器に入力されたミリ波信号強度に応じて出力される電圧（モニタ電圧）を参照して、最大受信電力が得られるアンテナ方位を検出するようにしている。
【非特許文献１】Hirata,A. et al , "120-GHz-Band Millimeter-Wave Photonic Wireless Link for 10-Gb/s Data Transmission", IEEE Transactions on Microwave Theory and Techniques, Volume 54, Issue 5, May 2006 pp.1937-1944.
【発明の開示】
【発明が解決しようとする課題】
【０００６】
しかしながら、従来の無線通信システムでは、ＤＣ電圧をモニタする場合、電圧計の最小感度やノイズの問題などの理由できわめて小さい電力が入力された場合にその電力を検知することができず、モニタ電圧の変動として測定できないという問題が生じていた。
【０００７】
本発明は、上記問題点に鑑み、大容量のミリ波無線通信システムにおいて、受信機で受信されたミリ波信号の強度が小さい場合であっても受信電力を検知して短時間でアンテナの方位を調整することを課題とする。
【課題を解決するための手段】
【０００８】
本発明に係る無線通信システムは、ミリ波信号を送信する送信機とその送信機が送信したミリ波信号を受信する受信機とを備えた無線通信システムであって、その送信機は、搬送波としてのミリ波の周波数よりも低い電力検出用周波数で強度変調したミリ波信号を送信し、その受信機は、受信したミリ波信号から抽出した電力検出用周波数の信号成分の強度を測定し、測定した強度に基づいてミリ波信号の強度を推測することを特徴とする。
【０００９】
本発明にあっては、送信機では搬送波としてのミリ波の周波数よりも低い電力検出用周波数で強度変調したミリ波信号を送信し、受信機では受信したミリ波信号から抽出した電力検出用周波数の信号成分の強度を測定し、測定した強度に基づいてミリ波信号の強度を推測するようにしたことで、ノイズ等に起因してミリ波信号の強度が小さい場合でも従来技術の受信したミリ波信号の強度に応じてミリ波検波器から出力されるＤＣ電圧を計測する場合と比べて高いＳ／Ｎが得られるので受信感度が向上する。
【００１０】
上記無線通信システムにおける送信機は、送信すべきデータ信号の周波数よりも低い電力検出用周波数で強度変調したミリ波信号を送信することを特徴とする。
【００１１】
本発明にあっては、送信機では送信すべきデータ信号の周波数よりも低い電力検出用周波数で変調されたミリ波信号を送信することで、受信機ではデータ信号成分と電力検出用周波数の信号成分とを分離することが可能となる。
【００１２】
上記無線通信システムにおける送信機は、搬送波としてのミリ波信号の周波数で強度変調された光サブキャリア信号を発生させる光サブキャリア信号発生用光源と、送信すべきデータ信号を増幅すると共に、ゲイン調整端子を有し、その端子に低周波の電力検出用周波数信号を入力することにより、データ信号をその電力検出用周波数信号で変調可能なベースバンドアンプと、ベースバンドアンプにより増幅されたデータ信号で光サブキャリア信号を強度変調する光変調器と、光変調器が強度変調した光信号を電気信号に変換するフォトダイオードと、フォトダイオードにより光電変換された電気信号を送信する送信アンテナと、を備えることを特徴とする。尚、上記光変調器は、バイアス調整回路を更に備え、電力検出用周波数信号は、このバイアス調整回路において光変調器の変調度を調整するためにも用いられる。
【００１３】
本発明にあっては、送信機ではベースバンドアンプにより電力検出用周波数信号の入力を受け付けて、光変調器によりベースバンドアンプが増幅したデータ信号で搬送波としての光サブキャリア信号を強度変調するようにしたことで、光変調器のバイアス電圧自動調整機構を利用して、光サブキャリア信号及びデータ信号の周波数成分よりも低い電力検出用周波数信号でミリ波信号を変調することができる。
【００１４】
上記無線通信システムにおける送信機は、搬送波としてのミリ波信号を発生させると共に当該ミリ波信号を送信すべきデータ信号で強度変調するミリ波信号発生回路と、そのミリ波信号発生回路から出力されたミリ波信号をゲイン調整用端子に入力された低周波の電力検出用周波数の信号で強度変調するミリ波増幅器と、そのミリ波増幅器から出力されたミリ信号を送信する送信アンテナと、を備えることを特徴とする。
【００１５】
本発明にあっては、送信機ではミリ波信号発生回路により搬送波としてのミリ波信号を発生させると共にそのミリ波信号を送信すべきデータ信号で強度変調し、更に、ミリ波増幅器のゲイン調整用端子を利用して、入力された電力検出用周波数の信号でミリ波信号を強度変調することで、搬送波としてのミリ波信号及びデータ信号の周波数成分よりも低い電力検出用周波数信号でミリ波信号を変調することができる。
【００１６】
上記無線通信システムにおける受信機は、ミリ波を受信する受信アンテナと、受信アンテナにより受信したミリ波信号を復調するミリ波検波器と、ミリ波検波器が復調したミリ波信号からデータ信号成分及び電力検出用周波数の信号成分を抽出し、それぞれを出力する出力端子を有するバイアスＴと、を備えることを特徴とする。
【００１７】
本発明にあっては、受信機では、ミリ波検波器が復調したミリ波信号からデータ信号成分と電力検出用周波数の信号成分を抽出し、それぞれを出力する出力端子を有するバイアスＴを備える構成としたことで、部品点数の削減ができ受信機のコンパクト化が可能となる。
【００１８】
上記無線通信システムにおける受信機は、ミリ波を受信する受信アンテナと、受信アンテナにより受信したミリ波信号を復調するミリ波検波器と、ミリ波検波器が復調したミリ波信号を分岐させるカプラと、カプラにより分岐されたミリ波信号から電力検出用周波数の帯域の信号を増幅する狭帯域増幅器と、狭帯域増幅器が出力した電力検出用周波数の帯域の信号成分を通過させるフィルタ回路と、フィルタ回路が通過させた信号成分を検波する検波器と、検波器が出力した信号成分の電圧値を測定する電圧計と、を備えることを特徴とする。
【００１９】
本発明にあっては、受信機では、ミリ波検波器により復調したミリ波信号を、カプラにより分岐した後は、検波器によりフィルタ回路を通過した電力検出用周波数の帯域の信号成分を検波して、電圧計により検波器が出力した信号成分の電圧値を測定するような構成としたことで、高価なアナライザを使用する構成と比べてより低コストで受信機を構成できる。
【００２０】
上記無線通信システムにおける受信機は、ミリ波を受信する受信アンテナと、受信アンテナにより受信したミリ波信号を復調するミリ波検波器とを備え、ミリ波検波器は、復調したミリ波信号からデータ信号を出力する出力端子と、受信したミリ波信号の強度に応じたモニタ電圧を出力する出力端子と、を更に備え、モニタ電圧を出力する端子から電力検出用周波数の信号成分を抽出することを特徴とする。
【００２１】
本発明にあっては、受信機では、受信したミリ波信号を復調するミリ波検波器が、復調したミリ波信号からデータ信号を出力する出力端子と、受信したミリ波信号の強度に応じたモニタ電圧を出力する出力端子とを有し、モニタ電圧を出力する端子から電力検出用周波数の信号成分を抽出するような構成としたことで、上記カプラを使用する構成と比べて部品点数の削減でき受信機のコンパクト化が可能となる。
【００２２】
上記無線通信システムにおいては、送信機及び受信機が、ビーム幅が１度以下の指向性の高いアンテナを使用してミリ波信号の送受信を行うことが望ましい。
【発明の効果】
【００２３】
本発明の無線通信システムによれば、アンテナ設置時において短時間でアンテナの方位調整が可能となる。また、データ伝送中に送信機と受信機との間でアンテナの軸ずれが発生した場合でもデータ伝送を停止することなくアンテナの方位調整が可能となる。
【発明を実施するための最良の形態】
【００２４】
以下、本発明の一実施の形態について、図面を用いて説明する。
【００２５】
［第１の実施の形態］
図１のブロック図は、第１の実施の形態に係る無線通信システム１の概略的な構成を示している。無線通信システム１は、ミリ波信号を送信する送信機１００と送信機１００が送信したミリ波信号を受信する受信機２００とを備える。
【００２６】
送信機１００は、光サブキャリア信号発生用光源１０１と、ベースバンドアンプ１０２と、光変調器１０３と、ミリ波増幅器付フォトダイオード１０４と、モニタ用フォトダイオード１０５と、フィードバック回路１０６と、ＤＣ電圧源１０７と、送信アンテナ１０８と、シンセサイザ１０９とを備える。
【００２７】
受信機２００は、受信アンテナ２０１と、ミリ波検波器２０２と、カプラ２０３と、ハイパスフィルタ２０４と、ベースバンドアンプ２０５と、ローパスフィルタ２０６と、狭帯域増幅器２０７と、スペクトラムアナライザ２０８とを備える。尚、送信アンテナ１０８と受信アンテナ２０１は、例えばビーム幅が１度以下の指向性の高いガウシアン光学レンズアンテナを使用する。
【００２８】
以下、上記無線通信システムにおける各ブロックの動作について説明する。
【００２９】
送信機１００側では、光サブキャリア信号発生用光源１０１は、搬送波としてのミリ波信号の周波数で強度変調された光サブキャリア信号を発生させる。ベースバンドアンプ１０２は、送信すべきデータ信号の入力を受け付けて増幅すると共にシンセサイザ１０９で発生させた低周波の電力検出用周波数信号の入力を受け付ける。
【００３０】
光変調器１０３は、ベースバンドアンプ１０２により増幅したデータ信号で光サブキャリア信号を強度変調する。光変調器には例えばマッハツェンダ型のＬＮ変調器などを使用してもよい。ところで、このような光変調器の最適なバイアス電圧は時間変化や温度変化に起因して変動してしまう。データ信号を変調する際にバイアス電圧が最適な値からずれると光信号の変調度が低下してしまい、出力された光信号の波形に歪が生じる。その結果、受信機２００においてエラーフリー伝送を得るためには、より大きな受光パワーが必要となる。このため、送信機１００では光変調器の変調度が最大となるように光変調器１０３に印加されるバイアス電圧を最適な値に調整する。
【００３１】
図２に示すように、ベースバンドアンプ１０２にデータ信号を入力する一方で、ベースバンドアンプ１０２のゲイン調整用端子にデータ信号の帯域よりも低周波の電力検出用周波数の信号を入力する。ここでは電力検出用周波数として１ｋＨｚ程度の正弦波を入力する。これによりデータ信号成分と低周波な電力検出用周波数の信号成分とを多重することが可能となる。更に、光変調器１０３の出力の一部を分岐させてモニタ用フォトダイオード１０５に入力する。モニタ用フォトダイオード１０５により光信号を電気信号に変換する。さらにフィードバック回路１０６により１ｋＨｚの信号成分が常に最大となるようにＤＣ電圧源１０７の出力を調整して光変調器１０３に最適なバイアス電圧が印加されるようにフィードバックをかけている。このように光変調器１０３はバイアス電圧を調整するための回路を備えており、ここでは電力検出用周波数信号が光変調器の変調度を調整するためにも用いられる。
【００３２】
この結果、光変調器１０３から出力される光信号は、データ信号に加えて、１ｋＨｚの電力検出用周波数信号で強度変調される。この光信号は更にミリ波増幅器付フォトダイオード１０４のフォトダイオードにより光電変換された後ミリ波増幅器により増幅され、送信アンテナ１０８から放射される。このように、光変調器のバイアス電圧自動調整機構を利用して、光サブキャリア信号及びデータ信号の周波数成分よりも低い電力検出用周波数信号でミリ波信号を変調する。
【００３３】
次に、受信機２００側では、図１に示すように、受信アンテナ２０１で受信したミリ波信号をミリ波検波器２０２で復調する。復調されたミリ波信号はカプラ２０３により分岐される。一方の伝送路ではハイパスフィルタ２０４、ベースバンドアンプ２０５によりデータ信号成分のみを抽出する。他方の伝送路ではローパスフィルタ２０６により１ｋＨｚの信号成分を抽出して、狭帯域増幅器２０７で増幅した後、スペクトラムアナライザ２０８で強度を測定する。これにより、測定した強度に基づいてミリ波信号の強度を推測することができるので、ノイズ等に起因してミリ波信号の強度が小さい場合であっても、従来のミリ波検波器の出力のＤＣ成分を測定するよりも高いＳ／Ｎが得られる。その結果、高い感度でミリ波信号の検出が可能となる。
【００３４】
アンテナ設置時においては、例えば、スペクトルアナライザから出力されるモニタ電圧を参照しながら、そのモニタ電圧の値が大きくなるようにステッピングモータをスキャンさせて受信機２００の受信アンテナを支える雲台の位置を移動させる。このようにして、ミリ波信号の強度に応じて短時間でアンテナの方位を調整することができる。また、このような構成としたことで、データ伝送中にアンテナの軸ずれが発生した場合であってもデータ伝送を停止することなくアンテナの方位を調整することができる。更に、送信機においてもモニタ電圧を参照可能とし、最大受信感度が得られるアンテナの方位を検出可能な構成とした場合には、データ伝送中に送信機と受信機との間でアンテナの軸ずれが発生してもデータ伝送を停止することなく送信機と受信機の双方でアンテナの方位を調整することができる。
【００３５】
したがって、本実施の形態によれば、送信機では搬送波としてのミリ波の周波数よりも低い電力検出用周波数で強度変調したミリ波信号を送信し、受信機では受信したミリ波信号から抽出した電力検出用周波数の信号成分の強度を測定し、測定した強度に基づいてミリ波信号の強度を推測する。これにより、ノイズ等に起因してミリ波信号の強度が小さい場合でも従来技術の受信したミリ波信号の強度に応じてミリ波検波器から出力されるＤＣ電圧を計測する場合と比べて高いＳ／Ｎが得られるので受信感度が向上する。よって、アンテナ設置時において短時間でアンテナの方位調整が可能となる。また、データ伝送中にアンテナの軸がずれた場合でもデータ伝送を停止することなくアンテナの方位を調整することができる。
【００３６】
また、本実施の形態によれば、送信機では送信すべきデータ信号の周波数よりも低い電力検出用周波数で変調されたミリ波信号を送信することで、受信機ではデータ信号成分と電力検出用周波数の信号成分とを分離することが可能となる。尚、本実施の形態では電力検出用周波数を１ｋＨｚとしたが、電力検出用周波数はデータ信号成分と電力検出用周波数の信号成分が分離可能な程度に低周波であればこれに限られるものではない。
【００３７】
更に、本実施の形態によれば、送信機ではベースバンドアンプにより電力検出用周波数信号の入力を受け付けて、光変調器によりベースバンドアンプが増幅したデータ信号で搬送波としての光サブキャリア信号を強度変調するようにしたことで、光変調器のバイアス電圧自動調整機構を利用して、光サブキャリア信号及びデータ信号の周波数成分よりも低い電力検出用周波数信号でミリ波信号を変調することができる。
【００３８】
［第２の実施の形態］
次に、第２の実施の形態に係る無線通信システムについて説明する。この無線通信システムの基本的な構成は、第１の実施の形態で説明したものと同様である。以下では、第１の実施の形態と異なる点を中心に説明する。
【００３９】
第１の実施の形態と異なる点は、図３のブロック図に示すように、送信機３００では、フォトダイオード１０４ａで光電変換されたミリ波信号を、ミリ波増幅器１０４ｂによりゲイン調整用端子に入力された低周波の電力検出用周波数の信号で強度変調する点である。ゲイン調整用端子には電力検出用周波数としてここでも１ｋＨｚの正弦波信号を入力する。ゲイン調整用端子の変調帯域は高くはないが、１ｋＨｚ程度の低周波であれば変調可能である。
【００４０】
したがって、第２の実施の形態によれば、送信機３００では光サブキャリア信号発生用光源１０１により搬送波としてのミリ波信号を発生させると共に、光変調器１０３により、ミリ波信号を送信すべきデータ信号で強度変調し、更に、ミリ波増幅器１０４ｂのゲイン調整用端子を利用して、フォトダイオード１０４ａで光電変換されたミリ波信号を電力検出用周波数の信号で強度変調する。これにより、搬送波としてのミリ波信号及びデータ信号の周波数成分よりも低い電力検出用周波数信号でミリ波信号を変調することができるので、上記第１の実施の形態と同様な効果を奏することが可能となる。
【００４１】
尚、本実施の形態においては、送信機３００は、光サブキャリア信号発生用光源１０１により搬送波としてのミリ波信号を発生させると共に、光変調器１０３により、ミリ波信号を送信すべきデータ信号で強度変調するような構成としたが、これに限られるものではなく、搬送波としてのミリ波信号を発生させると共にミリ波信号を送信すべきデータ信号で強度変調することが可能な構成であれば、例えば光サブキャリア信号発生用光源を用いることなく電気的な手法によりミリ波を発生させるミリ波信号発生回路を用いて送信機を構成しても、上記実施の形態と同様な効果を奏することができる。
【００４２】
［第３の実施の形態］
次に、第３の実施の形態に係る無線通信システムについて説明する。この無線通信システムの基本的な構成は、第１の実施の形態で説明したものと同様である。以下では、第１の実施の形態と異なる点を中心に説明する。
【００４３】
第１の実施の形態と異なる点は、図４のブロック図に示すように、受信機４００が、ミリ波検波器２０２が復調したミリ波信号からデータ信号成分及び電力検出用周波数の信号成分を抽出し、それぞれを出力する出力端子を有するバイアスＴ４０１を備える点である。ここでバイアスＴ４０１は、一方の出力端子からはＤＣ成分が遮断された１０ｋＨｚ以上の周波数成分を有するデータ信号が出力される。他方のインダクタが接続された出力端子からは１ｋＨｚの電力検出用周波数の信号が出力される。このようにバイアスＴ４０１を使用することで、部品点数の削減ができるので、コンパクトな受信機を構成することが可能となる。
【００４４】
したがって、第３の実施の形態によれば、受信機４００では、ミリ波検波器が復調したミリ波信号からデータ信号成分と電力検出用周波数の信号成分を抽出し、それぞれを出力する出力端子を有するバイアスＴ４０１を備える構成としたことで、第１の実施の形態に係る効果に加えて、部品点数の削減ができ受信機のコンパクト化が可能となる。
【００４５】
［第４の実施の形態］
次に、第４の実施の形態に係る無線通信システムについて説明する。この無線通信システムの基本的な構成は、第１の実施の形態で説明したものと同様である。以下では、第１の実施の形態と異なる点を中心に説明する。
【００４６】
第１の実施の形態と異なる点は、図５のブロック図に示すように、受信機５００が、フィルタ回路が通過させた信号成分を検波する検波器５０１と、検波器５０１が出力した信号成分の電圧値を測定する電圧計５０２とを備える点である。
【００４７】
ここでは狭帯域増幅器２０７により電力検出用周波数の帯域の信号を増幅した後、バンドパスフィルタ２０９を通過した１ｋＨｚの信号が検波器５０１に入力される。そして、検波器５０１により検波された信号成分の強度に応じてＤＣ電圧が出力され、電圧計５０２により出力電圧の値を測定する。このように１ｋＨｚの信号強度を測定する検波器を使用することにより、高価なスペクトラムアナライザを使用することなく受信電力を検知することが可能となるので、安価な受信機を構成することが可能となる。
【００４８】
したがって、第４の実施の形態によれば、受信機５００では、ミリ波検波器２０２により復調したミリ波信号を、カプラ２０３により分岐した後は、検波器５０１によりバンドパスフィルタ２０９を通過した電力検出用周波数の帯域の信号成分を検波して、電圧計５０２により検波器が出力した信号成分の電圧値を測定するような構成としたことで、第１の実施の形態に係る効果に加えて、高価なアナライザを使用する構成と比べてより低コストで受信機を構成できる。尚、本実施の形態ではカプラ２０３を使用したが、第３の実施の形態と同様に、バイアスＴを使用した構成であってもよい。
【００４９】
［第５の実施の形態］
次に、第５の実施の形態に係る無線通信システムについて説明する。この無線通信システムの基本的な構成は、第１の実施の形態で説明したものと同様である。以下では、第１の実施の形態と異なる点を中心に説明する。
【００５０】
第１の実施の形態と異なる点は、図６のブロック図に示すように、受信機６００において、受信アンテナ２０１により受信したミリ波信号を復調するミリ波検波器６０１が、復調したミリ波信号からデータ信号を出力するデータ信号出力端子、受信したミリ波信号の強度に応じたモニタ電圧を出力するモニタ電圧出力端子を有する点である。
【００５１】
通常、ミリ波検波器６０１のモニタ出力電圧端子はＤＣ電圧だけでなく低周波なＡＣ信号成分も出力可能である。ここではモニタ電圧出力端子から電力検出用周波数の１ｋＨｚの信号をモニタ電圧として出力する。このモニタ電圧を測定することにより、受信したミリ波信号の強度を推測するようにしている。このような構成とすることで、コンパクトな受信機を構成している。
【００５２】
したがって、第５の実施の形態によれば、受信機では、受信したミリ波信号を復調するミリ波検波器が、復調したミリ波信号からデータ信号を出力する出力端子と、受信したミリ波信号の強度に応じたモニタ電圧を出力する出力端子とを有し、モニタ電圧を出力する端子から電力検出用周波数の信号成分を抽出するような構成としたことで、第１の実施の形態に係る効果に加えて、上記カプラを使用する構成と比べて部品点数の削減でき受信機のコンパクト化が可能となる。
【図面の簡単な説明】
【００５３】
【図１】第１の実施の形態に係る無線通信システムの概略的な構成を示すブロック図である。
【図２】上記無線通信システムにおいて光変調器のバイアス電圧調整機構を利用した強度変調を説明するための図である。
【図３】第２の実施の形態に係る無線通信システムの概略的な構成を示すブロック図である。
【図４】第３の実施の形態に係る無線通信システムの概略的な構成を示すブロック図である。
【図５】第４の実施の形態に係る無線通信システムの概略的な構成を示すブロック図である。
【図６】第５の実施の形態に係る無線通信システムの概略的な構成を示すブロック図である。
【図７】従来の無線通信システムの概略的な構成を示すブロック図である。
【符号の説明】
【００５４】
１…無線通信システム
１００…送信機（実施例１）
１０１…光サブキャリア信号発生用光源
１０２…ベースバンドアンプ
１０３…光変調器
１０４…ミリ波増幅器付きフォトダイオード
１０５…モニタ用フォトダイオード
１０６…フィードバック回路
１０７…ＤＣ電圧源
１０８…送信アンテナ
１０９…シンセサイザ
２００…受信機（実施例１）
２０１…受信アンテナ
２０２…ミリ波増幅器
２０３…カプラ
２０４…ハイパスフィルタ
２０５…ベースバンドアンプ
２０６…ローパスフィルタ
２０７…狭帯増幅器
２０８…スペクトラムアナライザ
２０９…バンドパスフィルタ
３００…送信機（実施例２）
１０４ａ…フォトダイオード
１０４ｂ…ミリ波増幅器
４００…受信機（実施例３）
４０１…バイアスＴ
５００…受信機（実施例４）
５０１…検波器
５０２…電圧計
６００…受信機（実施例５）
６０１…ミリ波検波器
７００…送信機（従来例）
８００…受信機（従来例）
【図１】
2008211279.tif 000003
【図２】
2008211279.tif 000004
【図３】
2008211279.tif 000005
【図４】
2008211279.tif 000006
【図５】
2008211279.tif 000007
【図６】
2008211279.tif 000008
【図７】
2008211279.tif 000009